(57)【特許請求の範囲】
【請求項１】
前側に表示面を有し、周縁部を保持する保持枠体を有する表示パネルと、
前記保持枠体の周縁部を取り囲むフロントキャビネットと
を備えた表示装置において、
前記表示パネルの保持枠体は外周側面に穴を有し、
前記フロントキャビネットは前記穴に嵌合する爪を有し、
前記表示パネルの後側を覆うバックキャビネットを備え、
該バックキャビネットは前記保持枠体の穴から前記爪の抜け出しを止める抜け止め部を有し、
前記フロントキャビネットは前記バックキャビネットと対向する後側部分に設けられた凸部（又は凹部）を有し、
前記抜け止め部は、前記凸部（又は凹部）と対向する部分に設けられ、該凸部（又は凹部）と係合する凹部（又は凸部）である
ことを特徴とする表示装置。
【請求項２】
前記爪は可撓体である
ことを特徴とする請求項１に記載の表示装置。
【請求項３】
前記フロントキャビネットは前記保持枠体の外周側面を取り囲んで覆う側面覆部を有し、
前記爪は前記側面覆部の内面から突設されている
ことを特徴とする請求項１又は請求項２に記載の表示装置。
【請求項４】
前記フロントキャビネットは前記側面覆部の後側端から内側に張り出した張出部を有し、
前記凸部（又は凹部）は前記張出部の後側面に設けられている
ことを特徴とする請求項３に記載の表示装置。
【請求項５】
前記フロントキャビネットは、
前記表示パネルの前側周縁部及び該前側周縁部の外縁を縁取る環状の前側覆部と、
該前側覆部から前記保持枠体の外周側面に沿って突設された突出部と
を有し、
前記爪は前記突出部に設けられている
ことを特徴とする請求項１から請求項４までのいずれか一項に記載の表示装置。
【請求項６】
前記バックキャビネットは前記保持枠体の外周側面の後側部分を取り囲んで覆う側面覆部を有し、
前記フロントキャビネットは前記前側覆部から後側へ前記突出部を外側から囲んで突設された側面覆部を有し、
前記抜け止め部は、前記突出部及びフロントキャビネットの側面覆部の間に形成される隙間へ、前記バックキャビネットの側面覆部の前側端から延設された楔である
ことを特徴とする請求項５に記載の表示装置。
【請求項７】
請求項１から請求項６までのいずれか一項に記載の表示装置と、
テレビ放送を受信する受信部と
を備えることを特徴とするテレビ受信装置。
【発明の詳細な説明】
【技術分野】
【０００１】
本発明は、液晶テレビ、プラズマテレビ等の表示装置及びテレビ受信装置に関する。
【背景技術】
【０００２】
テレビ受信装置等の表示装置において、フロントキャビネットとパネルモジュールとを固定するため、フロントキャビネットに固定フック、ビス、ボス等の固定部材が設けられている。例えば、特許文献１には、フロントキャビネットにビス締結用のボスを介して固定フックを設け、当該固定フックによりフロントキャビネットとパネルモジュールとを仮固定する表示装置が開示されている。
【先行技術文献】
【特許文献】
【０００３】
【特許文献１】特開２００６−３３７９７６号公報
【発明の概要】
【発明が解決しようとする課題】
【０００４】
しかしながら、固定フック、ビス締結用のボス等はパネルモジュール外周側面の外側に配置されるため、表示装置が組み立てられた場合、フロントキャビネットはパネルモジュールに対して額縁幅が広くなり、狭額縁化及び外形縮小化を阻害している。
【０００５】
本発明は斯かる事情に鑑みてなされたものであり、その目的は、狭額縁化及び外形縮小化を可能とするキャビネット構造を備えた表示装置及びテレビ受信装置を提供することにある。
【課題を解決するための手段】
【０００６】
本願に係る表示装置は、前側に表示面を有し、周縁部を保持する保持枠体を有する表示パネルと、前記保持枠体の周縁部を取り囲むフロントキャビネットとを備えた表示装置において、前記表示パネルの保持枠体は外周側面に穴を有し、前記フロントキャビネットは前記穴に嵌合する爪を有し、前記表示パネルの後側を覆うバックキャビネットを備え、該バックキャビネットは前記保持枠体の穴から前記爪の抜け出しを止める抜け止め部を有し、前記フロントキャビネットは前記バックキャビネットと対向する後側部分に設けられた凸部（又は凹部）を有し、前記抜け止め部は、前記凸部（又は凹部）と対向する部分に設けられ、該凸部（又は凹部）と係合する凹部（又は凸部）であることを特徴とする。
【０００７】
本願に係る表示装置では、前側の表示面と、周縁部を保持する保持枠体とを有する表示パネルの保持枠体は、外周側面に穴を有する。保持枠体の周縁部を取り囲むフロントキャビネットは、保持枠体の穴に嵌合する爪を有する。フロントキャビネットの爪が表示パネルの保持枠体の穴に嵌合することにより、フロントキャビネットは表示パネルに固定される。
本願に係る表示装置では、表示パネルの後側を覆うバックキャビネットを備えている。バックキャビネットの抜け止め部は、フロントキャビネットの爪が表示パネルの保持枠体の穴から抜け出すことを止める。
本願に係る表示装置では、バックキャビネットと対向するフロントキャビネットの後側部分には、凸部又は凹部が設けられている。バックキャビネットの抜け止め部は、フロントキャビネットの凸部又は凹部と対向する部分に設けられている。バックキャビネットの抜け止め部は、フロントキャビネットの凸部又は凹部と夫々係合する凹部又は凸部である。フロントキャビネットの凸部又は凹部と夫々バックキャビネットの凹部又は凸部とが係合することにより、フロントキャビネットの爪は表示パネルの保持枠体の穴から抜け出すことが止められる。
【０００８】
本願に係る表示装置は、前記爪は可撓体であることを特徴とする。
【０００９】
本願に係る表示装置では、フロントキャビネットの爪は、撓めることが可能な可撓体である。
【００１０】
本願に係る表示装置は、前記フロントキャビネットは前記保持枠体の外周側面を取り囲んで覆う側面覆部を有し、前記爪は前記側面覆部の内面から突設されていることを特徴とする。
【００１１】
本願に係る表示装置では、フロントキャビネットの側面覆部は、表示パネルの保持枠の外周側面を覆っている。側面覆部の内面からは、表示パネルの保持枠体の穴に嵌合する爪が突設されている。フロントキャビネットの側面覆部の外部には、何ら部材は配置されない。
【００１６】
本願に係る表示装置は、前記フロントキャビネットは前記側面覆部の後側端から内側に張り出した張出部を有し、前記凸部（又は凹部）は前記張出部の後側面に設けられていることを特徴とする。
【００１７】
本願に係る表示装置では、フロントキャビネットの側面覆部の後側端からは、内側に張出部が張り出している。フロントキャビネットの凸部又は凹部は、張出部の後側面に設けられている。
【００１８】
本願に係る表示装置は、前記フロントキャビネットは、前記表示パネルの前側周縁部及び該前側周縁部の外縁を縁取る環状の前側覆部と、該前側覆部から前記保持枠体の外周側面に沿って突設された突出部とを有し、前記爪は前記突出部に設けられていることを特徴とする。
【００１９】
本願に係る表示装置では、フロントキャビネットの前側覆部は、表示パネルの前側周縁部及びその外縁を縁取っている。フロントキャビネットの前側覆部からは表示パネルの保持枠体の外周側面に沿って突出部が突設されている。突出部には、表示パネルの保持枠体の穴に嵌合する爪が設けられている。
【００２０】
本願に係る表示装置は、前記バックキャビネットは前記保持枠体の外周側面の後側部分を取り囲んで覆う側面覆部を有し、前記フロントキャビネットは前記前側覆部から後側へ前記突出部を外側から囲んで突設された側面覆部を有し、前記抜け止め部は、前記突出部及びフロントキャビネットの側面覆部の間に形成される隙間へ、前記バックキャビネットの側面覆部の前側端から延設された楔であることを特徴とする。
【００２１】
本願に係る表示装置では、バックキャビネットの側面覆部は、保持枠体の外周側面の後側部分を覆っている。フロントキャビネットの前側覆部から突設された側面覆部は、突出部を外側から囲んでいる。フロントキャビネットの側面覆部と突出部との間に形成される隙間には、バックキャビネットの側面覆部の前側端から楔が延設されている。この楔は、フロントキャビネットの爪が表示パネルの保持枠体の穴から抜け出ることを止める。
【００２２】
本願に係るテレビ受信装置は、上述の表示装置と、テレビ放送を受信する受信部とを備えることを特徴とする。
【００２３】
本願に係るテレビ受信装置では、表示装置とテレビ放送を受信する受信部とを備えている。
【発明の効果】
【００２４】
本発明によれば、狭額縁化及び外形縮小化を可能とするキャビネット構造を備えた表示装置及びテレビ受信装置を提供することができる。
【図面の簡単な説明】
【００２５】
【図１】テレビ受信装置の概略斜視図である。
【図２】パネルモジュールの概略斜視図である。
【図３】フロントキャビネットの概略斜視図である。
【図４】バックキャビネットの概略斜視図である。
【図５】テレビ受信装置の要部の一例を示す断面図である。
【図６】テレビ受信装置の要部の一例を示す断面図である。
【図７】テレビ受信装置の要部の他例を示す断面図である。
【図８】テレビ受信装置の要部の他例を示す断面図である。
【発明を実施するための形態】
【００２６】
以下、本発明の一実施例における表示装置を、実施の形態を示す図面に基づいて説明する。本実施形態に係る表示装置は、例えば液晶テレビ受信装置、プラズマテレビ受信装置、パーソナルコンピュータの液晶ディスプレイ、有機ＥＬ（Electro Luminescence）ディスプレイ、ＳＥＤ（Surface-conduction Electron-emitter Display）等を含む。以下では、表示装置の一例として、テレビ受信装置を挙げて説明する。
なお、本発明は、以下の実施の形態に限定されるものではない。
【００２７】
実施の形態１
図１は、テレビ受信装置１の概略斜視図である。図１では、テレビ受信装置１を前側斜め上から示している。
テレビ受信装置１は、パネルモジュール（表示パネル）２、フロントキャビネット３、バックキャビネット４、テレビ放送を受信する受信部Ｔ、電源Ｐ及びスタンドＳを含む。パネルモジュール２は、前側のフロントキャビネット３と後側のバックキャビネット４とにより挟持されている。スタンドＳは、パネルモジュール２、フロントキャビネット３及びバックキャビネット４を起立状態で支持している。受信部Ｔ及び電源Ｐは、パネルモジュール２の後側かつバックキャビネット４の前側に取り付けられている。
【００２８】
図２は、パネルモジュール２の概略斜視図である。図２では、パネルモジュール２を後側斜め上から示している。
パネルモジュール２は、テレビ映像を表示する表示面２０を前方に有す横長の略直方体状をなす。パネルモジュール２は、例えば表示面２０を有する液晶パネル、液晶パネルに後側から光を照射するバックライト等を含む。パネルモジュール２のこれら構成部材は、略四角形の保持枠体２１により外側から取り囲むように一体的に保持されている。
【００２９】
保持枠体２１の外周側面には、穴２１ａが設けられている。穴２１ａの内部は直方体状をなし、その開口は矩形状をなす。穴２１ａは、保持枠体２１の外周側面に沿った方向と開口面の長手方向が略一致するように配設されている。
【００３０】
図３は、フロントキャビネット３の概略斜視図である。図３は、後側斜め上方向から見たフロントキャビネット３を示している。フロントキャビネット３は、環部（前側覆部）３１、筒部（側面覆部）３２及び張出部３３を含む。フロントキャビネット３は、例えば合成樹脂製の可撓体である。
環部３１は、パネルモジュール２の表示面２０の周縁部を覆う板状の矩形部材である。環部３１は外周部を除く部分に開口を有し、ユーザはこの開口により、パネルモジュール２の表示面２０に表示されるテレビ映像を見ることができるようになっている。
筒部３２は、環部３１の外周部の縁から後側にその側面が突出するように設けられている。筒部３２は、後側から見て矩形状をなし、パネルモジュール２の外周側面全体を覆っている。環部３１及び筒部３２は、テレビ受信装置１を前側から見た場合、パネルモジュール２の表示面２０に対して額縁を構成している。
【００３１】
筒部３２の内周側面には、可撓体の爪３２ａが突設されている。爪３２ａは、三角柱状をなし、この三角柱の高さ方向に伸びた形状をしている。爪３２ａの長手方向は、後側から見た矩形状の筒部３２の辺方向と略同一である。筒部３２の内周側面からの爪３２ａの高さは、前側ほど後側に比べて高い。爪３２ａは、フロントキャビネット３をパネルモジュール２に取り付けた場合、当該爪３２ａが保持枠体２１の穴２１ａに嵌合する位置に配設されている。
【００３２】
張出部３３は、フロントキャビネット３をパネルモジュール２に取り付けた場合、筒部３２の後側端からパネルモジュール２の後側面に対して内向きに突設されている。張出部３３は、後側から見て矩形状をなす。張出部３３の後側面には、凹部３３ａが設けられている。凹部３３ａの内部は三角柱状をなし、開口は略矩形をなす。
【００３３】
後側から見て矩形状をなす張出部３３の各辺の略中央部には、パネルモジュール２の後側面に対して内向きにさらに突出した矩形状の突出部３３ｂが延設されている。各突出部３３ｂの後側面の略中央からは、後側にボス３３ｃが突設されている。ボス３３ｃの先端面にはビス孔が設けられている。
【００３４】
図４は、バックキャビネット４の概略斜視図である。図４は、前側斜め上方向から見たバックキャビネット４を示している。バックキャビネット４は、例えば合成樹脂製の可撓体である。バックキャビネット４は、前側及び後側から見て矩形状をなす。バックキャビネット４は、受信部Ｔ及び電源Ｐを覆う皿形覆部４１と、該皿形覆部４１の周縁に連なるフランジ部４２とを含む。フランジ部４２は、矩形状の枠であり、前側面の周縁部には凸部４２ａが設けられている。凸部４２ａは、フロントキャビネット３の凹部３３ａと係合可能な三角柱状をなし、フロントキャビネット３の凹部３３ａと係合可能な位置に配設されている。また、フランジ部４２には、フロントキャビネット３とバックキャビネット４とを組み立て位置に合わせた場合、ボス３３ｃと対応する位置にボス３３ｃが挿通可能な孔４２ｂが設けられている。パネルモジュール２、フロントキャビネット３及びバックキャビネット４は、後側からボス３３ｃに螺合されるビスにより取着される。
【００３５】
図５及び図６は、テレビ受信装置１の要部の一例を示す断面図である。図５及び図６は、穴２１ａ、爪３２ａ、凹部３３ａ及び凸部４２ａを切断する断面図である。図５は、さらに突出部３３ｂ、ボス３３ｃ及びビス５も切断する断面図である。
フロントキャビネット３の爪３２ａがパネルモジュール２の穴２１ａに嵌合することにより、フロントキャビネット３とパネルモジュールは固定される。フロントキャビネット３の凹部３３ａ及びバックキャビネット４の凸部４２ａは、係合し合うことにより、爪３２ａが穴２１ａから抜け出ることを阻止している。ビス５は、パネルモジュール２、フロントキャビネット３及びバックキャビネット４を締結している。図５の例では、ビス５は、ちょうボルトであるが、これに限るものではない。例えば、ビス５の頭部は、トラス、皿、バインド、低頭等でもよい。
【００３６】
次に、テレビ受信装置１の組み立てについて説明する。
フロントキャビネット３をパネルモジュール２に取り付けるため、可撓性を有するフロントキャビネット３をパネルモジュール２に対して撓ませる。フロントキャビネット３及びパネルモジュール２の長手方向又は短手方向を揃え、パネルモジュール２の隣接する２つの角部を夫々撓ませたフロントキャビネット３の対応する角部内側に挿入する。パネルモジュール２に対してフロントキャビネット３を傾斜させた状態から平行に重なり合う状態に移動しつつ、少しずつ撓んだフロントキャビネット３を元の形状に戻す。パネルモジュール２の一外周側面をフロントキャビネット３の一内周側面に当接させる。その際、図５及び図６に示すように、フロントキャビネット３の爪３２ａを対向するパネルモジュール２の穴２１ａに嵌合させる。その後、パネルモジュール２の他の外周側面がフロントキャビネット３の他の内周側面に夫々当接するように、フロントキャビネット３の内側にパネルモジュール２全体を嵌め込む。そして、フロントキャビネット３の全ての爪３２ａを対応するパネルモジュール２の穴２１ａに嵌合させ、フロントキャビネット３をパネルモジュール２に固定する。
【００３７】
パネルモジュール２が固定されたフロントキャビネット３の後側から、バックキャビネット４を近づける。フロントキャビネット３の４本のボス３３ｃが、夫々バックキャビネット４の４個の孔４２ｂに対応するように、ボス３３ｃ及び孔４２ｂの位置を合わせ、各ボス３３ｃを夫々孔４２ｂに挿通させる。その際、図５及び図６に示すように、フロントキャビネット３の凹部３３ａ及びバックキャビネット４の凸部４２ａを係合し合うようにする。バックキャビネット４の後側からボス３３ｃにビス５を螺入し、パネルモジュール２、フロントキャビネット３及びバックキャビネット４を締結する。
【００３８】
テレビ受信装置１のキャビネット構造によれば、狭額縁化及び外形縮小化を実現することができる。
フロントキャビネット３とパネルモジュール２とは、フロントキャビネット３の爪３２ａ及びパネルモジュール２の穴２１ａにより固定され、他の部材は用いられない。そのため、前側からテレビ受信装置１を見た場合、パネルモジュール２の外側に配置する額縁の幅は、フロントキャビネット３の筒部３２の厚さに抑えられる。これにより、容易に狭額縁化及び外形縮小化が可能となる。
【００３９】
テレビ受信装置１のキャビネット構造によれば、パネルモジュール２の外側にフロントキャビネット３以外の別部品は必要とされない。そのため、別部品を削減することができると共に、テレビ受信装置１の組み立て工数を削減することができる。
【００４０】
テレビ受信装置１のキャビネット構造によれば、フロントキャビネット３の凹部３３ａ及びバックキャビネット４の凸部４２ａは、係止し合う。これにより、テレビ受信装置１を組み立てた場合、爪３２ａが穴２１ａから抜け出ることが阻止される。
【００４１】
図２では保持枠体２１の各外周側面に５個の穴２１ａが夫々設けられているが、各外周側面の穴２１ａの個数は５個より少なくてもよいし、５個より多くてもよい。図２では、保持枠体２１の外周側面の上下左右すべての面に穴２１ａを設けるように示しているが、穴２１ａは対向する１組の外周側面にのみ設けられてもよい。
【００４２】
図３では筒部３２の各内周側面に５個の爪３２ａが夫々設けられているが、各内周側面の爪３２ａの個数は５個より少なくてもよいし、５個より多くてもよい。図３では、筒部３２の内周側面の上下左右全ての面に爪３２ａを設けるように示しているが、爪３２ａは対向する１組の内周側面にのみ設けられてもよい。かかる場合、保持枠体２１の対向する１組の外周側面に設けた穴２１ａと対応する位置に、爪３２ａを設ける。
【００４３】
保持枠体２１の穴２１ａ及び筒部３２の爪３２ａの形状と大きさは、パネルモジュール２とフロントキャビネット３とを固定することができるのであれば、図２、図３、図５及び図６に示した形状と大きさに限らない。例えば、図２では穴２１ａの開口面形状は略矩形であるが、例えば短手方向が丸みを帯びた長穴の形状であってもよい。図５及び図６における穴２１ａの断面形状はＵ字形であってもよい。
爪３２ａの形状は直方体状であってもよく、図５及び図６における爪３２ａの断面形状は矩形状又は台形状になってもよい。また、爪３２ａはＬ字形の断面形状を有し、穴２１ａの内部に溝を設け、爪３２ａの屈曲した先端が当該溝に係合するようにしてもよい。
【００４４】
図３では張出部３３の各辺の略中央部に、突出部３３ｂ及びボス３３ｃが夫々１つずつ合計４個設けられているが、各辺の突出部３３ｂ及びボス３３ｃの個数は、夫々１個より多くてもよい。また、突出部３３ｂ及びボス３３ｃは対向する１組の張出部３３の辺にのみ設けられてもよい。
【００４５】
図７は、テレビ受信装置１の要部の他例を示す断面図である。
図３、図４、図５及び図６では、張出部３３に凹部３３ａが、フランジ部４２に凹部３３ａと係合可能な凸部４２ａが設けられている。しかし、図７Ａに示すように、張出部３３に凸部３３０ａが、フランジ部４２に当該凸部３３０ａと係合可能な凹部４２０ａが設けられてもよい。
図３及び図４における凹部３３ａ及び凸部４２ａは、夫々張出部３３及びフランジ部４２の各辺に５個ずつ設けられている。しかし、各辺の凹部３３ａ及び凸部４２ａは５個より少なくてもよいし、５個より多くてもよい。
図３及び図４では、夫々張出部３３及びフランジ部４２の上下左右全ての辺に凹部３３ａと凸部４２ａとを設けるように示している。しかし、凹部３３ａ及び凸部４２ａは夫々対抗する１組の辺にのみ設けてもよい。
図３、図４、図５及び図６では、凹部３３ａ及び凸部４２ａの形状は、共に三角柱状である。しかし、凹部３３ａ及び凸部４２ａの形状は、三角柱状に限らず、例えば共に直方体状であってもよい。
【００４６】
図７Ｂに示すように、凸部４２ａはフランジ部４２の先端が屈曲した断面視Ｌ字形の爪でもよい。かかる場合、凹部３３ａは張出部３３の外周端の切欠き部として設けられる。爪状の凸部４２ａは、爪３２ａが穴２１ａから抜け出ないように、パネルモジュール２に対するフロントキャビネット３の移動を阻止する。
【００４７】
図５では、ビス５はパネルモジュール２まで螺挿されている。しかし、ビス５はフロントキャビネット３まで螺挿されていれば、パネルモジュール２まで螺挿されていなくてもよい。
図５では、ボス３３ｃを介してビス５により、パネルモジュール２、フロントキャビネット３及びバックキャビネット４は締結されている。しかし、ボス３３ｃを設けなくてもよい。かかる場合、ビス５はボス３３ｃを介さずに、パネルモジュール２、フロントキャビネット３及びバックキャビネット４を螺嵌する。あるいは、ビス５はボス３３ｃを介さずに、フロントキャビネット３及びバックキャビネット４を螺嵌する。
【００４８】
実施の形態２
実施の形態２は、フロントキャビネット３の爪がパネルモジュール２の穴２１ａから抜け出ないように、バックキャビネット４の周縁部から延設された楔が爪の抜け止めをする形態に関する。
【００４９】
図８は、テレビ受信装置１０の要部の他例を示す断面図である。
図２に示すように、パネルモジュール２の保持枠体２１の外周側面には、穴２１ａが設けられている。
フロントキャビネット３は、環部（前側覆部）３１、筒部（側面覆部）３２０及び突出部３４を含む。突出部３４は、略矩形の板状部材であり、環部３１の外周縁部かつ筒部３２０の内側から、後側へ突出するように設けられている。突出部３４の数は、パネルモジュール２の穴２１ａと同数である。テレビ受信装置１０を組み立てた場合、突出部３４は、その先端が穴２１ａと対向するように配設されている。突出部３４の先端には、内側に突出した三角柱状の可撓体の爪３４ａが設けられている。爪３４ａがパネルモジュール２の穴２１ａに嵌合することにより、フロントキャビネット３はパネルモジュール２に固定される。
なお、突出部３４は、その先端が穴２１ａよりも後側まで突出していてもよい。かかる場合、爪３４ａは穴２１ａと対向する突出部３４の位置に設ける。
【００５０】
後側から見て、突出部３４と筒部３２０との間には、後側に開いた隙間３５が形成されている。
環部３１及び筒部３２０は、パネルモジュール２の表示面２０に対して額縁を構成している。
【００５１】
バックキャビネット４は、皿形覆部４１、フランジ部４２及び筒部（側面覆部）４３を含む。筒部４３は、フランジ部４２の外周縁部から前側に突出するように設けられている。筒部４３の厚さは、フロントキャビネット３の筒部３２０、隙間３５及び突出部３４の合計の厚さより薄い。従って、テレビ受信装置１０を前側から見た場合、バックキャビネット４はフロントキャビネット３により隠蔽され、見ることができない。
フロントキャビネット３の隙間３５と対向する筒部４３の前側端部分には、前側に向かって細くなる楔４３ａが延設されている。楔４３ａは、隙間３５に嵌合し、穴２１ａからの爪３４ａの抜け出しを阻止する。
【００５２】
次に、テレビ受信装置１０の組み立てについて説明する。
フロントキャビネット３をパネルモジュール２に取り付けるため、可撓性を有するフロントキャビネット３をパネルモジュール２に対して撓ませる。フロントキャビネット３及びパネルモジュール２の長手方向又は短手方向を揃え、パネルモジュール２をフロントキャビネット３の突出部３４により囲まれた空間に納める。各突出部３４先端の爪３４ａをパネルモジュール２の各穴２１ａに嵌合させ、フロントキャビネット３をパネルモジュール２に固定する。
【００５３】
パネルモジュール２が固定されたフロントキャビネット３の後側から、バックキャビネット４を近づける。バックキャビネット４の楔４３ａがフロントキャビネット３の隙間３５と対向するように、フロントキャビネット３に対してバックキャビネット４の位置を合わせる。フランジ部４２の前側面がパネルモジュール２の後側面周縁部と当接するまで、各楔４３ａを夫々隙間３５に嵌入させる。ビス５をバックキャビネット４の孔４２ｂ及びパネルモジュール２に螺入し、パネルモジュール２、フロントキャビネット３及びバックキャビネット４を締結する。
【００５４】
テレビ受信装置１０のキャビネット構造によれば、狭額縁化及び外形縮小化を実現することができる。
フロントキャビネット３とパネルモジュール２とは、フロントキャビネット３の爪３４ａ及びパネルモジュール２の穴２１ａにより固定され、他の部材は用いられない。そのため、前側からテレビ受信装置１０を見た場合、パネルモジュール２の外側に配置する額縁の幅は、フロントキャビネット３の筒部３２０、隙間３５及び突出部３４の合計の厚さに抑えられる。これにより、容易に狭額縁化及び外形縮小化が可能となる。
【００５５】
テレビ受信装置１０のキャビネット構造によれば、バックキャビネット４の楔４３ａは、フロントキャビネット３の隙間３５に嵌合する。これにより、テレビ受信装置１０を組み立てた場合、爪３４ａが穴２１ａから抜け出ることが阻止される。
【００５６】
実施の形態２は以上の如きであり、その他は実施の形態１と同様であるので、対応する部分には同一の参照番号を付してその詳細な説明を省略する。
【符号の説明】
【００５７】
１、１０  テレビ受信装置
２        パネルモジュール
２０      表示面
２１      保持枠体
２１ａ    穴
３        フロントキャビネット
３１      環部
３２      筒部
３２０    筒部
３２ａ    爪
３３      張出部
３３ａ    凹部
３３０ａ  凸部
３４      突出部
３４ａ    爪
４        バックキャビネット
４２ａ    凸部
４２０ａ  凹部
４３      筒部
４３ａ    楔
Ｔ        受信部
【図１】
0005483590.tif 000002
【図２】
0005483590.tif 000003
【図３】
0005483590.tif 000004
【図４】
0005483590.tif 000005
【図５】
0005483590.tif 000006
【図６】
0005483590.tif 000007
【図７】
0005483590.tif 000008
【図８】
0005483590.tif 000009